(57)【要約】【課題】  着脱が容易で、その作業時間が短縮し、フィルタ材の破損や汚れた部分だけの交換が可能で、フィルタ材の裁断時の歩留りも大きい扇風機用フィルタを提供する。【解決手段】  フィルタ材１６を、各部分フレーム１７Ａ，１７Ｂで展張された２つの部分フィルタ材１６Ａ，１６Ｂに分割したので、フィルタ材１６の着脱作業が容易で、作業時間が短縮できる。また、フィルタ材１６の部分的な破損、汚れには、一方の部分フレーム１７Ａまたは１７Ｂとともに不具合な部分フィルタ材１６Ａまたは１６Ｂだけを交換できる。これにより、フィルタ材１６の交換時間が短縮し、交換コストを低減できる。また、フィルタ材１６が扇形状であるので、その裁断時の歩留りが大きくなる。【選択図】図１
2005240697.tif 000002
【特許請求の範囲】
【請求項１】
扇風機の回転羽根をガードする羽根ガードの背面部を外方から被覆可能な環状のフィルタ材と、
該フィルタ材を、展張状態で保持する環状の枠形状を有したフレームと、
該フレームを、前記羽根ガードに係止する係止部材とを備えた扇風機用フィルタであって、
前記フィルタ材は、周方向に向かって複数の部分フィルタ材に分割され、前記フレームは、周方向に向かって複数の部分フレームに分割された扇風機用フィルタ。
【請求項２】
前記背面部は、前記回転羽根を外方から被う多数本の線材と、各線材の先端が周方向に向かって所定間隔毎に連結される環状の外周線材とを有し、
前記係止部材は、
各部分フレームの外周枠に設けられ、前記羽根ガードの外周方向から外周線材に掛止される複数本の掛止爪を有し、
各掛止爪は、前記外周線材の直径よりそれぞれ長く、かつ対応する部分フレームの外周枠のうち、最大寸法公差の外径を有する背面部の外周線材に掛止可能な位置にそれぞれ設けられた請求項１に記載の扇風機用フィルタ。
【請求項３】
隣接する部分フレームの側部間には、
隣接する部分フレーム同士を係止する側部係止構造体と、
該部分フレームのフレーム周方向への移動を許容可能なオーバーラップ部とがそれぞれ設けられた請求項１または請求項２に記載の扇風機用フィルタ。
【請求項４】
各部分フィルタ材の内周部には、各部分フレームの内周枠と、前記扇風機のモータ部との隙間を外方から覆うスカート部がそれぞれ設けられた請求項１〜請求項３のうち、何れか１項に記載の扇風機用フィルタ。
【発明の詳細な説明】
【技術分野】
【０００１】
この発明は扇風機用フィルタ、詳しくは扇風機の回転羽根を被う羽根ガードの背面部に着脱される扇風機用フィルタに関する。
【背景技術】
【０００２】
近年、扇風機の回転羽根を外方から被う羽根ガードの背面部を被覆し、この状態を保持して扇風機を使用することで、室内の空気中に浮遊している微細なごみやほこりをろ過する扇風機用フィルタが開発されている。
従来の扇風機用フィルタとして、例えば特許文献１のものが知られている。
特許文献１のフィルタは、展開状態でドーナツ形状を有し、かつ扇風機のモータ部に固定された羽根ガードの背面部を被覆可能なフィルタ材と、フィルタ材の外縁部に縫着された伸縮自在な１本の平ゴムひもと、フィルタ材の曲率中心から半径方向の外側に向かう１本のスリットにより裁断されて形成された両端部同士を係止する面状ファスナとを具備している。
【０００３】
このフィルタの使用時には、まずフィルタ材により羽根ガードの背面部を被覆する。すなわち、フィルタ材の外縁部側を羽根ガードの最大径部、すなわち羽根ガードの前面部と背面部との連結部分に沿わせるとともに、フィルタ材の内縁部側を羽根ガードのモータ部との連結部分に沿わせて、このフィルタ材を羽根ガードに巻回する。その後、フィルタ材の両端部同士を面状ファスナにより係止することで、この巻回状態を維持する。
モータ部によって回転羽根を回転させると、室内の空気は羽根ガードの背面部から羽根ガードの内部空間に吸い込まれ、その後、羽根ガードの前面部を通して扇風機の前方へ吹き出される。このとき、室内の空気中を浮遊する微細なごみやほこりはフィルタ材によってろ過される。
【特許文献１】特開平１１−１５９４９９号公報
【発明の開示】
【発明が解決しようとする課題】
【０００４】
しかしながら、特許文献１の扇風機用フィルタにあっては、以下の問題点があった。
(1) フィルタ材が展開した状態で略ドーナツ形状を有していた。そのため、フィルタ材により羽根ガードの背面部を被覆する際には、背面部の全域にフィルタ材を一括して掛止する必要があった。その結果、フィルタ材の着脱が面倒で長時間を要し、慣れるまでに何回も着脱をし直さなければならなかった。
(2) また、フィルタ材が１枚シートであるため、何らかの原因によりフィルタ材の一部分が破損したり汚れた場合には、フィルタ材の全体を新しいものに交換する必要があった。
【０００５】
(3) さらに、フィルタ材が略ドーナツ形状を有する１枚シートであったので、フィルタ材を裁断するには大判のフィルタ生地が必要であった。そのため、原料費が嵩むとともに端ぎれも多くなり、単位面積当たりのフィルタ生地から得られるフィルタ材の歩留りが小さくなっていた。
(4) 従来のフィルタ材の内縁部分は、裁断時に単にカットされたままになっていた。そのため、フィルタ材の内縁部によって、羽根ガードとモータ部との連結部分を隙間なく密閉しにくかった。その結果、フィルタ材の内縁部と羽根ガードの元部との隙間からごみやほこりがろ過されていない室内空気が、羽根ガードの内部空間に吸い込まれていた。
【０００６】
そこで、この発明は、フィルタ材の着脱作業が容易で、その作業時間の短縮化を図ることができ、しかも部分的なフィルタ材の破損や部分的な汚れに応じて、フィルタ材の一部分だけを交換することができ、さらにはフィルタ材の裁断時の歩留りが大きい扇風機用フィルタを提供することを目的としている。
また、この発明は、背面部の周方向の実寸法が設定寸法と若干異なっても、部分フレームを背面部に支障なく掛止することができる扇風機用フィルタを提供することを目的としている。
さらに、この発明は、掛合した部分フレーム同士が分離したり、隣接する部分フレーム間から塵などが羽根ガードの内部空間に侵入し難い扇風機用フィルタを提供することを目的としている。
さらにまた、この発明は、フィルタ材による羽根ガードとモータ部との連結部分の密閉性が高まり、集塵効果を高めることができる扇風機用フィルタを提供することを目的としている。
【課題を解決するための手段】
【０００７】
請求項１に記載の発明は、扇風機の回転羽根をガードする羽根ガードの背面部を外方から被覆可能な環状のフィルタ材と、該フィルタ材を、展張状態で保持する環状の枠形状を有したフレームと、該フレームを、前記羽根ガードに係止する係止部材とを備えた扇風機用フィルタであって、前記フィルタ材は、周方向に向かって複数の部分フィルタ材に分割され、前記フレームは、周方向に向かって複数の部分フレームに分割された扇風機用フィルタである。
【０００８】
請求項１に記載の発明によれば、扇風機の羽根ガードの背面部をフィルタ材により被覆する際には、部分フレームを、順次、羽根ガードに係止することで、部分フィルタ材が一連に繋がったフィルタ材によって背面部を被覆することができる。
フィルタ材を、各部分フレームにより個別に展張された複数の部分フィルタ材により分割したので、フィルタ材の着脱作業が容易になり、その作業時間を短縮することができる。しかも、フィルタ材の部分的な破損や部分的な汚れに対応し、フィルタ材を部分的に交換することができる。その結果、フィルタ材の交換時間を短縮することができ、交換コストも安価にすることができる。
また、展張状態のフィルタ材の形状は、従来のように環状ではなく、これを複数に分割した扇形状またはこれに近似した帯形状などとなる。そのため、フィルタ材の裁断時の歩留りを大きくすることができる。
【０００９】
使用される扇風機の羽根ガードの各サイズ、具体的には羽根ガードの直径、羽根ガードの内周縁から外周縁までの半径方向に沿った長さ、および、モータ部の直径などは限定されない。
フィルタ材により覆われる羽根ガードの箇所は、背面部に限定されない。羽根ガードの背面部と前面部との両方でもよい。
フィルタ材の素材は限定されない。例えば、不織布、ネットを採用することができる。不織布の種類は限定されない。例えば、大気汚染による空気中の粉塵のほか、花粉などを効率良く捕集可能な目付を有する不織布が好ましい。不織布としては、例えば綿、麻、絹などの天然繊維製の不織布でもよいし、プロピレン系樹脂繊維、ポリエステル系樹脂繊維、ポリエチレン系樹脂繊維などの合成繊維製の不織布でもよい。また、不織布を合成樹脂で固めたものでもよい。
【００１０】
フィルタ材の表面およびまたは裏面に、例えば各種のプリント法によって、任意の模様、任意の図形、任意の絵などを印刷してもよい。
また、フィルタ材に消臭性およびまたは抗菌性を付与してもよい。消臭性を与える物質としては、例えば粉末活性炭などが挙げられる。さらに、抗菌性を与える物質としては、例えば酸化チタンなどを挙げることができる。これらは、あらかじめフィルタ材の繊維中に含めてもよいし、フィルタ材の製造後、塗布法などでフィルタ面に付着したり、フィルタ面から各繊維に含浸してもよい。
フィルタ材の部分フィルタ材への分割数は限定されない。例えば２分割でもよいし、３分割以上でもよい。各部分フィルタ材の長さは均一でもよいし、不均一でもよい。
【００１１】
フレームの素材は限定されない。例えば、ポリエチレン、ポリプロピレン、ポリエチレンテレフタレート、合成ゴムなどの各種の合成樹脂を採用することができる。また、鉄、ステンレス、アルミニウム、錫、真鍮、銅などの各種の金属を採用することができる。さらには、竹などの木を採用することができる。フレームは湾曲自在でもよいし、剛性が高くてもよい。フレームの厚さは限定されない。フレームが湾曲自在の場合には薄くなり、剛性が高いものは厚くなる。
フレームの部分フレームへの分割数、部分フレームの長さは限定されない。フィルタの分割数、部分フィルタ材の長さに対応する。
部分フレームへの部分フィルタ材への固定方法は限定されない。例えば、射出成形、加熱プレスによる融着、接着剤による接着、面状ファスナなどによる掛止、締結紐などによる締着、ミシンによる縫着を採用することができる。
【００１２】
係止部材の種類は限定されない。例えば、クリップ、フック、ホック、紐、面状ファスナ、粘着テープ、マグネットなどでもよい。また、単なる嵌合構造でもよい。
係止部材の形状、大きさ、使用個数、部分フレームにおける形成位置などは限定されない。
フィルタ材および部分フィルタ材の大きさ、形状は限定されない。要は、羽根ガードの背面部の全域を外方から被覆可能な大きさ、形状であればよい。ただし、一般的な家庭用の扇風機のサイズは、羽根ガードの直径の平均が約４０ｃｍ、モータ部の直径の平均が約１２ｃｍである。その際、フィルタ材および部分フィルタ材の好ましい幅（短辺側）の寸法は２０〜２４ｃｍである。ちなみに、家庭用の大型の回転羽根の直径は３５ｃｍ、家庭用の小型の回転羽根の直径は３０ｃｍである。
【００１３】
請求項２に記載の発明は、前記背面部は、前記回転羽根を外方から被う多数本の線材と、各線材の先端が周方向に向かって所定間隔毎に連結される環状の外周線材とを有し、前記係止部材は、各部分フレームの外周枠に設けられ、前記羽根ガードの外周方向から外周線材に掛止される複数本の掛止爪を有し、各掛止爪は、前記外周線材の直径よりそれぞれ長く、かつ対応する部分フレームの外周枠のうち、最大寸法公差の外径を有する背面部の外周線材に掛止可能な位置にそれぞれ設けられた請求項１に記載の扇風機用フィルタある。
【００１４】
請求項２に記載の発明によれば、羽根ガードの背面部に部分フィルタ材を装着する際には、羽根ガードの外周方向から外周線材に部分フィルタ材の各掛止爪をそれぞれ掛止する。各掛止爪は、外周線材の直径よりそれぞれ長く、しかも部分フレームの外周枠部分のうち、最大寸法公差の外径を有する背面部の外周線材に掛止可能な位置にそれぞれ突設されている。そのため、背面部の周方向の実寸法が設定寸法と若干異なっても、その誤差が許容された寸法公差の範囲であれば、外周線材への掛止状態において、各掛止爪が長さ方向に適宜移動することで、部分フレームにより背面部の一部を支障なく覆うことができる。
【００１５】
各部分フレームの素材は限定されない。例えば合成樹脂、金属などである。各部分フレームは剛体でもよいし、弾性体でもよい。ただし、弾性体が好ましい。
掛止爪の素材、形状、大きさおよび形成本数は、羽根ガードの外周方向から外周線材に掛止可能であれば限定されない。
【００１６】
請求項３に記載の発明は、隣接する部分フレームの側部間には、隣接する部分フレーム同士を係止する側部係止構造体と、該部分フレームのフレーム周方向への移動を許容可能なオーバーラップ部とがそれぞれ設けられた請求項１または請求項２に記載の扇風機用フィルタである。
【００１７】
請求項３に記載の発明によれば、隣接する部分フレームの側部間は、オーバーラップ部を重ね合わせた状態で側部係止構造体により係止される。これにより、隣接する部分フレームに対して互いに離間する方向に外力が作用しても、側部係止構造体による係止力とオーバーラップ部による重なりとにより、係合した部分フレーム同士が分離したり、隣接する部分フレーム間に隙間が開きにくい。その結果、この隙間から塵などが羽根ガードの内部空間に侵入するのを防止することができる。
【００１８】
側部係止構造体の構成要素は限定されない。例えば、雄側掛止部およびこれに掛止可能な雌側掛止部などを採用することができる。その他、クリップ、フック、ホック、紐、面状ファスナ、粘着テープ、マグネットなどでもよい。側部係止構造体の素材、形状、大きさなどは限定されない。側部係止構造体は、係止状態での部分フレーム同士のフレーム周方向への移動を許容してもよいし、許容しなくてもよい。
オーバーラップ部のフレーム周方向の長さは限定されない。
【００１９】
請求項４に記載の発明は、各部分フィルタ材の内周部には、各部分フレームの内周枠と、前記扇風機のモータ部との隙間を外方から覆うスカート部がそれぞれ設けられた請求項１〜請求項３のうち、何れか１項に記載の扇風機用フィルタである。
【００２０】
請求項４に記載の発明によれば、各部分フィルタ材の内周部に、各部分フレームの内周枠とモータ部との隙間を外方から覆うスカート部をそれぞれ設けたので、フィルタ材による羽根ガードとモータ部との連結部分の密閉性が高まり、集塵効果を高めることができる。
スカート部の素材、形状、大きさは限定されない。また、スカート部は部分フィルタ材と一体形成してもよいし、別体で形成してもよい。
【発明の効果】
【００２１】
請求項１に記載の発明によれば、フィルタ材を、各部分フレームにより個別に展張された複数の部分フィルタ材に分割したので、フィルタ材の着脱作業が容易で、その作業時間を短縮することができる。しかも、フィルタ材に部分的な破損、汚れが生じた場合には、対応する部分フレームとともに、不具合な部分フィルタ材だけを交換すればよい。これにより、フィルタ材の交換時間を短縮化することができ、交換費用の低コスト化も図れる。  また、展張状態のフィルタ材は、扇形状またはこれに近似した帯形状となるので、フィルタ材の裁断時の歩留りを大きくすることができる。
【００２２】
特に、請求項２に記載の発明によれば、各部分フレームの掛止爪は、外周線材の直径よりそれぞれ長く、かつ部分フレームの外周枠部分のうち、最大寸法公差の外径を有する背面部の外周線材に掛止可能な位置にそれぞれ突設されているので、背面部の実際の周方向の寸法が設定寸法と若干異なっても、その誤差が許容された寸法公差の範囲であれば、部分フレームにより背面部の一部を支障なく覆うことができる。
【００２３】
また、請求項３に記載の発明によれば、隣接する部分フレームの側部間は、オーバーラップ部を重ね合わせた状態で側部係止構造体により係止されるので、係合した部分フレーム同士が分離したり、部分フレーム間で発生した隙間から塵などが羽根ガードの内部空間に侵入するのを防げることができる。
【００２４】
さらに、請求項４に記載の発明によれば、各部分フィルタ材の内周部に、各部分フレームの内周枠とモータ部との隙間を外方から覆うスカート部をそれぞれ設けたので、フィルタ材による羽根ガードとモータ部との連結部分の密閉性が高まり、集塵効果を高めることができる。
【発明を実施するための最良の形態】
【００２５】
以下、この発明の実施例を図面を参照して説明する。
【実施例１】
【００２６】
図１〜図１１において、１０はこの発明の実施例１に係る扇風機用フィルタで、この扇風機用フィルタ１０は、扇風機１１のモータ部１２の出力シャフトに固着された回転羽根１３を外方から被うとともに、多数本の線材１４を有する羽根ガード１５の背面部１５Ａを被覆可能な環状のフィルタ材１６と、フィルタ材１６を展張状態で保持する環状枠形状のフレーム１７と、フレーム１７を羽根ガード１５に係止する係止爪（係止部材）１８Ａとを備えている。
【００２７】
羽根ガード１５の背面部１５Ａの上部には、鋼線を門型に屈曲させた把手１９が突設されている。
フィルタ材１６は、周方向に向かって上下２枚の部分フィルタ材１６Ａ，１６Ｂに分割されている（図２〜図８）。両部分フィルタ材１６Ａ，１６Ｂは、フィルタロールから導出された帯形状のフィルタシートを、順次、所定ピッチで扇形状に裁断して形成されている。フィルタシートは、繊維直径が約１０デニールのポリエステル系樹脂繊維を、所定のバインダにより接着したものである。目付は３０ｇ／ｍ２、見かけ厚さは１〜３ｍｍ、フィルタ圧力損失は０．２０ｍｍＨ２Ｏである。両部分フィルタ材１６Ａ，１６Ｂの内周部には、両部分フレーム１６Ａ，１６Ｂの内周枠１７ａとモータ部１２との隙間を外方から覆うスカート部１６ａをそれぞれ設けてもよい（図３）。
【００２８】
フレーム１７は、周方向に向かって上下２枚の部分フレーム１７Ａ，１７Ｂに分割されている（図４〜図８）。両部分フレーム１７Ａ，１７Ｂはポリプロピレン製で、正面視して扇形状の薄肉な枠材である。したがって、両部分フレーム１７Ａ，１７Ｂは、小さな力でも湾曲する弾性体となっている。両部分フレーム１７Ａ，１７Ｂは、主に内周枠１７ａと、外周枠１７ｂと、フレーム長さ方向の両端部で内，外周枠１７ａ，１７ｂの中間部間に横架された１対の中間枠１７ｃと、外周枠１７ａ，１７ｂの両端間に横架された１対の側枠（側部）１７ｄとを有している。これらの内周枠１７ａ、外周枠１７ｂ、中間枠１７ｃ、側枠１７ｄおよび後述の膨出枠１７ｅは、フレーム１７が着脱される背面部１５Ａの外観形状に合わせ、それぞれ湾曲形成されている。
【００２９】
上側の部分フレーム１７Ａの内周枠１７ａの中間部には、上方に向かって略半円形状に湾曲した膨出枠１７ｅが一体形成されている。膨出枠１７ｅの上部には、前記把手１９を挿通させるスリットＳの画成用のスリット枠１７ｆが一体形成されている。下側の部分フレーム１７Ｂには、両中間枠１７ｃの略中間部間に横架された一本の横枠１７ｇが一体形成されている。下側の部分フレーム１７Ｂの内周枠１７ａと横枠１７ｇとは、扇風機１１への装着時にモータ部１２との接触を回避するため、それぞれの長さ方向の中間部が、羽根ガード１５の内部空間に向かって湾曲している。
両部分フィルタ材１６Ａ，１６Ｂは、対応する部分フレーム１７Ａ，１７Ｂの表面の全域に、射出成形によりそれぞれ融着されている。
【００３０】
両部分フレーム１７Ａ，１７Ｂには、各外周枠１７ｂの長さ方向の中間部と両端部とに、羽根ガード１５の外周方向から背面部１５Ａの外周線材１４ａに掛止される合計５本の掛止爪１８Ａがそれぞれ一体形成されている。外周線材１４ａは、各線材１４の先端が周方向に向かって所定間隔毎に連結される環状の部材である。各掛止爪１８Ａは、外周枠１７ｂの外縁面に直交状態でそれぞれ突設されている。各掛止爪１８Ａの長さは、外周線材１４ａの直径の約１．５倍を有している。各掛止爪１８Ａは、対応する外周枠１７ｂのうち、最大寸法公差の外径を有した背面部１５Ａの外周線材１４ａに掛止可能な位置に配設されている。具体的な位置は、外周枠１７ｂの最外周縁付近である（図１１）。
両部分フレーム１７Ａ，１７Ｂの互いに突き合わされる１対の側枠１７ｄ間には、側部係止構造体１８Ｂがそれぞれ設けられている。
【００３１】
以下、側部係止構造体１８Ｂを詳細に説明する。
上側の部分フレーム１７Ａにおいて、両側枠１７ｄの内周枠１７ａ側の端部には、側枠１７ｄの長さ方向に例えば１ｃｍ程度の間隔をあけ、１対の平行な雌掛止突起１８ａが、側枠１７ｄの厚さ方向に向かってそれぞれ突設されている。両雌掛止突起１８ａは、上端部が互いに近接する方向に略直角に屈曲している。
下側の部分フレーム１７Ｂにおいて、両側枠１７ｄの内側枠１７ａ側の端部には、側枠１７ｄの長さ方向に例えば８ｍｍ程度の間隔をあけ、一対の平行な雄掛止突起１８ｂが、側枠１７ｄの幅方向に向かってそれぞれ突設されている。両雄掛止突起１８ｂの先端上部には、内側枠１７ａの厚さ方向に延びる摘まみ片１８ｃがそれぞれ一体形成されている。両摘まみ片１８ｃの元部の外側には、徐々に先細りした掛止ガイド１８ｄがそれぞれ一体形成されている。両摘まみ片１８ｃは、両突起１８ａ，１８ｂが掛止された状態でも両摘まみ片１８ｃを摘めるように、雌掛止突起１８ａの長さよりそれぞれ高くなっている。
【００３２】
両掛止突起１８ａ，１８ｂを掛止する際には、１対の雄掛止突起１８ｂを両雌掛止突起１８ａの隙間に徐々に押し込む。これにより、まず両掛止ガイド１８ｄの傾斜した外側面の先部が、雌掛止突起１８ａの内側面にそれぞれ接触する。さらにこの押し込みを続行すると、両雄掛止突起１８ｂの先部が、自己のばね力に抗して互いに近接する方向に徐々に押し曲げられ、両雌掛止突起１８ａの隙間にそれぞれ押し込められる。そして、両掛止ガイド１８ｄが両雌掛止突起１８ａの先方まで押し込まれた時、両雄掛止突起１８ｂが自己のばね力により元の平行状態にそれぞれ戻る。その結果、両掛止ガイド１８ｄが対応する雌掛止突起１８ａにそれぞれ掛止される。
掛止解除時には、両雄掛止突起１８ｂのばね力に抗して、両摘まみ片１８ｃを互いに近接する方向に摘まみ、この状態のまま、両雄掛止突起１８ｂを両雌掛止突起１８ａ間からそれぞれ引き抜けばよい。
【００３３】
また、隣接する部分フレーム１７Ａ，１７Ｂの両側枠１７ｄ間には、部分フレーム１７Ａ，１７Ｂのフレーム周方向への移動を許容可能なオーバーラップ部３０がそれぞれ設けられている。両オーバーラップ部３０は、部分フレーム１７Ａの両側枠１７ｄの外縁面に形成された長尺な突条片３１と、部分フレーム１７Ｂの両側枠１７ｄの外縁部の裏側に形成され、突条片が収納される長尺な条溝３２とをそれぞれ有している。各突条片３１および各条溝３２は、対応する両側枠１７ｄの外周枠１７ｂ側の端から、内周枠１７ａ側の端部付近にかけてそれぞれ形成されている。
【００３４】
次に、実施例１に係る扇風機用フィルタ１０の使用方法を説明する。
図１〜図１１に示すように、扇風機用フィルタ１０の使用時には、扇風機１１の羽根ガード１５の背面部１５Ａの上半分および下半分を、対応する部分フィルタ材１６Ａ，１６Ｂによりそれぞれ被覆する。具体的には、背面部１５Ａの上半分または下半分において、羽根ガード１５の外周方向から外周線材１４ａに部分フィルタ材１６Ａ，１６Ｂの各掛止爪１８Ａをそれぞれ掛止する。
【００３５】
各掛止爪１８Ａは、外周線材１４ａの直径の１．５倍だけそれぞれ長く、しかも部分フレーム１７Ａ，１７Ｂの外周枠部分のうち、最大寸法公差の外径を有する背面部１５Ａの外周線材１４ａに掛止可能な位置にそれぞれ突設されている。そのため、背面部１５Ａの実際の周方向の寸法が設定寸法と若干異なっても、それが寸法公差の範囲内であれば、外周線材１４ａへの掛止状態において、各掛止爪１８Ａが背面部１５Ａの中央部側に若干湾曲し、かつその長さ方向に適宜移動することで、部分フレーム１７Ａ，１７Ｂにより背面部１５Ａの一部を支障なく覆うことができる。なお、図１１（ａ）には、最大寸法公差の外径を有した背面部１５Ａへの装着状態を示す。図１１（ｂ）には、設定寸法通りの外径を有した背面部１５Ａへの装着状態を示す。図１１（ｃ）には、最小寸法公差の外径を有した背面部１５Ａへの装着状態を示す。
【００３６】
このとき、隣接する部分フレーム１７Ａ，１７Ｂの側枠１７ｄ間は、オーバーラップ部３０を重ね合わせた状態での側部係止構造体１８Ｂの掛止（係止）により連結される。具体的には、各突条片３１を対応する条溝３２に挿入しながら、１対の雄掛止突起１８ｂを対応する１対の雌掛止突起１８ａの隙間に押し込むことで、両雄掛止突起１８ｂが両雌掛止突起１８ａにそれぞれ掛止される。部分フレーム１７Ａ，１７Ｂの外周部間は、外周線材１４ａへの各掛止爪１８Ａの寸法公差を許容する掛止構造で連結される一方、部分フレーム１７Ａ，１７Ｂの内周部間は、側部係止構造体１８Ｂによる隙間を発生させない掛止構造で連結される。しかも、両部分フレーム１７Ａ，１７Ｂは、湾曲可能な薄肉のポリプロピレン製である。そのため、扇風機用フィルタ１０を最大寸法公差の外径を有する背面部１５Ａに装着したときにおいて、両部分フレーム１７Ａ，１７Ｂの側枠１７ｄ間のうち、内周枠１７ａ側の端から外周枠１７ｂの端部付近までに隙間が形成される場合がある。しかしながら、この隙間はオーバーラップ部３０により塞がれる。なお、このオーバーラップ部３０は、設定された寸法公差の最大値を超える外径を有した背面部１５Ａの場合にも有効となるように設計することができる。
これにより、隣接する部分フレーム１７Ａ，１７Ｂに対して互いに離間する方向に外力が作用しても、これらの側部係止構造体１８Ｂとオーバーラップ部３０との存在により、隣接する部分フレーム１７Ａ，１７Ｂ同士が分離したり、隣接する部分フレーム１７Ａ，１７Ｂ間（一部分を含む）に隙間が開きにくい。その結果、この隙間から塵などが羽根ガード１５の内部空間に侵入するのを防止することができる。
【００３７】
このように、フィルタ材１６を、各部分フレーム１７Ａ，１７Ｂにより個別に展張された上下１対の部分フィルタ材１６Ａ，１６Ｂを介して分割したので、フィルタ材１６の着脱作業が容易になり、その作業時間を短縮することができる。しかも、フィルタ材１６の部分的な破損や部分的な汚れに対応し、部分フィルタ材１６Ａ，１６Ｂを個別に交換することができる。その結果、フィルタ材１６の交換時間を短縮することができ、交換コストも安価にすることができる。
また、展張状態のフィルタ材１６の形状は、従来のように環状ではなく、これを２つに分割した扇形状となる。そのため、フィルタ材１６の裁断時の歩留りを大きくすることができる。
【００３８】
そして、各部分フィルタ材１６Ａ，１６Ｂの内周部に、各部分フレーム１７Ａ，１７Ｂの内周枠１７ａとモータ部１２との隙間を外方から覆うスカート部１６ａをそれぞれ設けた場合（図３）には、フィルタ材１６による羽根ガード１５とモータ部１２との連結部分の密閉性が高まり、背面部１５Ａが扇風機用フィルタにより略完全に密閉され、集塵効果を高めることができる。
【図面の簡単な説明】
【００３９】
【図１】この発明の実施例１に係る扇風機用フィルタの使用状態を示す斜視図である。
【図２】この発明の実施例１に係る扇風機用フィルタの組み立て状態を示す背面図である。
【図３】この発明の他の形態に係る扇風機用フィルタの組み立て状態を示す背面図である。
【図４】この発明の実施例１に係る扇風機用フィルタの上側の部分フレームを示す背面図である。
【図５】この発明の実施例１に係る扇風機用フィルタの上側の部分フレームを示す底面図である。
【図６】この発明の実施例１に係る扇風機用フィルタの上側の部分フレームを示す側面図である。
【図７】この発明の実施例１に係る扇風機用フィルタの下側の部分フレームを示す背面図である。
【図８】この発明の実施例１に係る扇風機用フィルタの下側の部分フレームを示す底面図である。
【図９】この発明の実施例１に係る扇風機用フィルタの下側の部分フレームを示す側面図である。
【図１０】この発明の実施例１に係る扇風機用フィルタの側部係止構造体を示す要部拡大斜視図である。
【図１１】（ａ）この発明の実施例１に係る扇風機用フィルタにおける最大寸法公差の外径を有した背面部への掛止爪の装着状態を示す。（ｂ）この発明の実施例１に係る扇風機用フィルタにおける設定寸法通りの外径を有した背面部への掛止爪の装着状態を示す。（ｃ）この発明の実施例１に係る扇風機用フィルタにおける最小寸法公差の外径を有した背面部への掛止爪の装着状態を示す。
【符号の説明】
【００４０】
１０  扇風機用フィルタ、
１１  扇風機、
１２  モータ部、
１３  回転羽根、
１４  線材、
１４ａ  外周線材、
１５  羽根ガード、
１５Ａ  背面部、
１６  フィルタ材、
１６Ａ，１６Ｂ  部分フィルタ材、
１６ａ  スカート部、
１７  フレーム、
１７Ａ，１７Ｂ  部分フレーム、
１７ｄ  側枠（側部）、
１８Ａ  掛止爪（係止部材）、
１８Ｂ  側部係止構造体、
３０  オーバーラップ部。
【図１】
2005240697.tif 000003
【図２】
2005240697.tif 000004
【図３】
2005240697.tif 000005
【図４】
2005240697.tif 000006
【図５】
2005240697.tif 000007
【図６】
2005240697.tif 000008
【図７】
2005240697.tif 000009
【図８】
2005240697.tif 000010
【図９】
2005240697.tif 000011
【図１０】
2005240697.tif 000012
【図１１】
2005240697.tif 000013